(57)【要約】      （修正有）【課題】輸送中は積層して輸送することができ、使用時には折曲部プレートをヒンジ部を介して折り曲げて水平状態となし、三次元的に設置できる家具等倒壊防止器具を提供する。【解決手段】垂直部プレートと折曲部プレートとが弾力性のある金属製薄板またはプラスチックで形成されており、垂直部下方に弾性スペーサー部が一体的に形成されていることとし、垂直部プレートの上部又は下部を湾曲させて、垂直部プレートと一体的にプレート湾曲部を形成し、家具等の自重によって家具等が直立する際の壁面に対する家具等の背面の押圧力で、プレート湾曲部背面の両面粘着材が壁面に強く押圧され、両面粘着材が壁面に強固に粘着されるように構成した家具等倒壊防止器具。【選択図】図３
0003110208.tif 000002
【実用新案登録請求の範囲】
【請求項１】
垂直部プレートの背面と折曲部プレートの前面に両面粘着材を貼着し、使用時において折曲部プレートをヒンジ部を介して折り曲げて水平状態となし、該折曲部プレートの下面に位置するようになった両面粘着材を家具等の上部に当接押圧して固定すると共に、垂直部プレートの背面に貼着された両面粘着材を壁面に押圧して固定できるように構成したことを特徴とする家具等倒壊防止器具。
【請求項２】
垂直部プレートと折曲部プレートとが弾力性のある金属製薄板またはプラスチックで形成されており、垂直部下方に弾性スペーサー部が一体的に形成されていることを特徴とする請求項１記載の家具等倒壊防止器具。
【請求項３】
垂直部プレートの上部又は下部を湾曲させて、垂直部プレートと一体的にプレート湾曲部を形成し、家具等の自重によって家具等が直立する際の壁面に対する家具等の背面の押圧力で、プレート湾曲部背面の両面粘着材が壁面に強く押圧され、両面粘着材が壁面に強固に粘着されるように構成したことを特徴とする請求項１記載の家具等倒壊防止器具。
【考案の詳細な説明】
【技術分野】
【０００１】  本考案は家具等倒壊防止器具に関するものであり、特に輸送中は積層して輸送することができ、使用時には折曲部プレートをヒンジ部を介して折り曲げて水平状態となし、三次元的に設置できる家具等倒壊防止器具に関するものである。
【背景技術】
【０００２】  従来、家具等倒壊防止器具として各種の考案が提案されており、例えば登録実用新案公報第３０１９６５５号公報や特開２００４−１６７８１号公報に開示された内容のものが創案されている。【０００３】  前述の登録実用新案公報第３０１９６５５号においては、垂直支持体と水平支持体とを壁と家具に取り付け、両者に対する傾斜連結竿を進退自在に取り付けてなるもので、特開２００４−１６７８１号公報は壁固定面と家具固定面との間に弾性材を設けてなるものでいずれも地震等の震動を吸収している。しかしながら、いずれも家具にビス止めし、且つ壁にビス止めするものであり、取り付けの手間もかかり、家具や壁にビス止めするので、家具や壁を傷つけるものであった。【０００４】
【特許文献１】          特開平２００４−１６７８１号公報
【実用新案文献２】
登録実用新案第３０１９６５５号公報
【考案の開示】
【考案が解決しようとする課題】
【０００５】  前記せる従来の装置においては、いずれも家具にビス止めし、且つ壁にビス止めするものであり、取り付けの手間もかかり、家具や壁にビス止めするので家具や壁を傷つけるものであったが、高級家具や壁に傷をつけるビス止め方法は消費者に一般的に嫌われる方法であった。したがって、家具や壁に傷を付けない家具倒壊防止器具が要望されている。
【課題を解決するための手段】
【０００６】  本考案は上記課題を解決するために鋭意研究した結果、創案されたものであり、垂直部プレートの背面と折曲部プレートの前面に両面粘着材を貼着し、使用時において折曲部プレートをヒンジ部を介して折り曲げて水平状態となし、該折曲部プレートの下面に位置するようになった両面粘着材を家具等の上部に当接押圧して固定すると共に、垂直部プレートの背面に貼着された両面粘着材を壁面に押圧して固定できるように構成したことを特徴とし、垂直部プレートと折曲部プレートとが弾力性のある金属製薄板またはプラスチックで形成されており、垂直部下方に弾性スペーサー部が一体的に形成されていることを特徴とし、垂直部プレートの上部又は下部を湾曲させて、垂直部プレートと一体的にプレート湾曲部を形成し、家具等の自重によって家具等が直立する際の壁面に対する家具等の背面の押圧力で、プレート湾曲部背面の両面粘着材が壁面に強く押圧され、両面粘着材が壁面に強固に粘着されるように構成したことを特徴とする家具等倒壊防止器具を提供する。
【考案の効果】
【０００７】  本考案の家具等倒壊防止器具によれば、輸送中は積層状態で輸送できるものであって、使用時には折曲部プレートをヒンジ部を介して折り曲げて水平状態として設置できる家具倒壊防止器具であって、折曲部プレートの下面に位置するようになった両面粘着材を家具等の上部に当接押圧して固定すると共に、垂直部プレートの背面に貼着された両面粘着材を壁面に押圧して固定できるように肉厚の両面粘着材を使用しており、複雑な震動にも対応でき、しかも家具等を移動する時などに家具等や壁面に傷をつけることなく、両面粘着材を何度でも剥がして再利用することができるものである。
【考案を実施するための最良の形態】
【０００８】  以下、図面に基づいて、本考案を実施するための最良の形態を具体的に説明する。
図面に於いて、図１は本考案の家具倒壊防止器具の斜視図である。図２は図１の中央縦断面斜視図である。図３は本考案の家具倒壊防止器具の使用状態を示す斜視図である。図４は本考案の家具倒壊防止器具の第２の実施例を示す斜視図である。図５は本考案の家具倒壊防止器具の第３の実施例を示す斜視図である。図６は本考案の家具倒壊防止器具の第４の実施例を示す斜視図である。図７は図６の中央縦断面斜視図である。図８は本考案の家具倒壊防止器具の第４の実施例を示す斜視図である。
【実施例１】
【０００９】  先ず図１乃至図３に示す実施例１に基づいて、本考案の家具倒壊防止器具について具体的に説明する。
図１乃至図２に示すように、垂直部プレート１の背面に両面粘着材３を、折曲部プレート１１の前面に両面粘着材２を貼着し、使用時においては、図３に示すように折曲部プレート１１をヒンジ部１２を介して折り曲げて水平状態となし、両面粘着材２が該折曲部プレート１１の下面に位置するようになる。次いで、両面粘着材２を家具等の上部４に当接押圧して固定すると共に、垂直部プレート１の背面に貼着された両面粘着材３を壁面５に押圧して固定する。【００１０】  垂直部プレート１と折曲部プレート１１とは金属製薄板またはプラスチックで形成することができ、使用時において図３に示すように折り曲げられる。したがって輸送時においては積層状態で輸送することができるので、輸送効率が良い。
【実施例２】
【００１１】  図４に示す実施例２の本考案の家具等倒壊防止器具について具体的に説明する。
実施例２では、垂直部プレート１の上部を湾曲させて、垂直部プレート１と一体的にプレート湾曲部１３が形成されており、家具等を直立させるときの自重によって、家具等の背面が壁面５に押圧されて、時にプレート湾曲部１３の背面の両面粘着材３が壁面５に強く押圧され、両面粘着材３が壁面５に強固に粘着されるように構成されている。
【実施例３】
【００１２】  次いで、図５に示す実施例３の本考案の家具等倒壊防止器具について具体的に説明すると、実施例３と同様に、垂直部プレート１の上部と下部を湾曲させて、垂直部プレート１と一体的にプレート湾曲部１３及び１４が形成されており、家具等を直立させるときの自重によって、家具等の背面が壁面５に押圧されて、時にプレート湾曲部１３お呼び１４の背面の両面粘着材３が壁面５に強く押圧され、両面粘着材３が壁面５に強固に粘着されるように構成されている。
【実施例４】
【００１３】  次いで、図６乃至図８に示す実施例４の本考案の家具等倒壊防止器具について具体的に説明すると、実施例４では、垂直部プレート１の下部に弾性スペーサー部１５が一体的に形成されており、壁面５の下端の幅木（図示せず）のために家具等と壁面５との間に空隙が生じるとき、弾性スペーサー部１５でその空隙を補って本考案の家具等倒壊防止器具を図８に示すように設置することができる。
【図面の簡単な説明】
【００１４】
【図１】  本考案の家具等倒壊防止器具の斜視図である。
【図２】  図１の中央縦断面斜視図である。
【図３】  本考案の家具等倒壊防止器具の使用状態を示す斜視図である。
【図４】  本考案の家具等倒壊防止器具の第２の実施例を示す斜視図である。
【図５】  本考案の家具等倒壊防止器具の第３の実施例を示す斜視図である。
【図６】  本考案の家具等倒壊防止器具の第４の実施例を示す斜視図である。
【図７】  図６の中央縦断面斜視図である。
【図８】  本考案の家具等倒壊防止器具の第４の実施例を示す斜視図である。
【符号の説明】
【００１５】    １．  垂直部プレート
１１．  折曲部プレート
１２．  ヒンジ部
１３．  プレート湾曲部
１４．  プレート湾曲部
１５．  弾性スペーサー部
２．  両面粘着材
３．  両面粘着材
４．  家具等上部
５．  壁面
【図１】
0003110208.tif 000003
【図２】
0003110208.tif 000004
【図３】
0003110208.tif 000005
【図４】
0003110208.tif 000006
【図５】
0003110208.tif 000007
【図６】
0003110208.tif 000008
【図７】
0003110208.tif 000009
【図８】
0003110208.tif 000010